(57)【要約】【課題】 外部からの制御信号により内部回路の動作を制御可能な信号処理回路に関し、所望の立ち上がり及び／又は立ち下がりで内部回路の動作を制御することができる信号処理回路を提供することを目的とする。【解決手段】  本発明は、制御信号に応じて動作が制御される内部回路（１１、１２）と、制御信号に応じて立ち上がり及び／又は立下りの異なる複数の参照電圧（Ｖr1、Ｖr2）を生成し、複数の参照電圧（Ｖr1、Ｖr2）を所望のタイミングで切り換えることにより、制御信号の立ち上がり及び／又は立ち下りを所望の立ち上がり及び／又は立下りに整形して、内部回路（１１、１２）の動作を制御する制御回路（１３）とを有することを特徴とする。【選択図】 図１
2005051608.tif 000002
【特許請求の範囲】
【請求項１】
制御信号に応じて動作が制御される内部回路と、
前記制御信号に応じて立ち上がり及び／又は立下りの異なる複数の参照電圧を生成し、該複数の参照電圧を所望のタイミングで切り換えることにより、前記制御信号の立ち上がり及び／又は立ち下りを所望の立ち上がり及び／又は立下りに整形して、前記内部回路の動作を制御する制御回路とを有することを特徴とする信号処理回路。
【請求項２】
前記制御回路は、前記制御信号から第１の参照電圧を生成する第１の参照電圧生成回路と、
前記第１の参照電圧生成回路で生成された前記第１の参照電圧から第２の参照電圧を生成する第２の参照電圧生成回路と、
前記第１の参照電圧生成回路で生成された前記第１の参照電圧と前記第２の参照電圧生成回路で生成された前記第２の参照電圧との大小を比較する比較回路と、
前記比較回路の比較結果に応じて前記第１の参照電圧又は前記第２の参照電圧を選択出力し、前記内部回路に供給するスイッチとを有することを特徴とする請求項１記載の信号処理回路。
【請求項３】
前記内部回路は、入力信号を増幅して出力する増幅回路であり、前記入力信号をミュートするミュート機能を有し、
前記比較回路の比較結果に応じて前記ミュート機能をオン、オフすることを特徴とする請求項２記載の信号処理回路。
【請求項４】
前記第１の参照電圧は、前記第２の参照電圧に比べて立ち上がり及び／又は立ち下りが緩やかとなるように設定されたことを特徴とする請求項１乃至３のいずれか一項記載の信号処理回路。
【発明の詳細な説明】
【技術分野】
【０００１】
本発明は信号処理回路に係り、特に、外部からの制御信号により内部回路の動作を制御可能な信号処理回路に関する。
【背景技術】
【０００２】
従来より、オーディオ信号を増幅して、ヘッドフォンやスピーカなどに出力するオーディオアンプ回路が知られている。
【０００３】
このようなオーディオアンプ回路には、電源の投入時や切断時のノイズをカットするためにシャットダウン機能及びミュート機能が内蔵されている。
【０００４】
図６はオーディオアンプ回路のブロック構成図を示す。
【０００５】
オーディオアンプ回路１０１の入力端子Ｔinには、信号源１０２から直流カット用のコンデンサＣ41を介して入力信号が供給される。入力端子Ｔinに供給された入力信号は、増幅回路１１１に供給される。増幅回路１１１は、差動増幅回路１２１、入力抵抗Ｒ31、帰還抵抗Ｒ32、スイッチ１２２から構成されており、基準電圧生成回路１１２から基準電圧が印加され、反転増幅回路を構成する。
【０００６】
増幅回路１１１は、基準電圧生成回路１１２からの基準電圧と入力端子Ｔinに供給された入力信号との差に応じた信号を出力する。増幅回路１１１で増幅された信号は、出力端子Ｔoutから出力され、スピーカ１０３を駆動する。
【０００７】
スイッチ１２２は、入力抵抗Ｒ31と帰還抵抗Ｒ32との接続点と差動増幅回路１２１の反転入力端子との間に設けられており、制御端子Ｔcnt1にコントローラ１０４から供給されるミュート信号に応じてスイッチングされる。スイッチ１２２は、ミュート信号がハイレベルのときには、入力抵抗Ｒ31と帰還抵抗Ｒ32との接続点と差動増幅回路１２１の反転入力端子とを短絡状態として、入力信号が反転増幅されて、出力端子Ｔoutから出力されるようにする。
【０００８】
また、スイッチ１２２は、ミュート信号がローレベルのときには、差動増幅回路１２１の出力と反転入力端子とを短絡状態として、入力信号が出力端子Ｔoutから出力されないようにする。このように、コントローラ１０４から制御端子Ｔcnt1に供給されるミュート信号に応じてスイッチ１２２がスイッチングされ、入力信号の差動増幅回路１２１への供給が制御され、ミュート機能が制御される。
【０００９】
また、基準電圧生成回路１１２は、スイッチ１３１、抵抗Ｒ41、Ｒ42から構成される。基準電圧生成回路１１２には、端子Ｔcを介してリプル除去用のコンデンサＣ51が外付けされる。基準電圧生成回路１１２には、定電圧Ｖddが印加されている。定電圧Ｖddは、スイッチ１３１を介して抵抗Ｒ41、Ｒ42から構成される直列回路に印加される。スイッチ１３１は、コントローラ１０４から制御端子Ｔcnt2に供給されるシャットダウン信号がハイレベルのときにはオンし、定電圧Ｖddを抵抗Ｒ41、Ｒ42から構成される直列回路に印加し、シャットダウン信号がローレベルのときにはオフし、抵抗Ｒ41、Ｒ42から構成される直列回路への定電圧Ｖddの印加を停止させる。
【００１０】
抵抗Ｒ41、Ｒ42は、スイッチ１３１がオンのときに定電圧Ｖddを分圧して、基準電圧を生成し、差動増幅回路１２１の非反転入力端子に供給する。これにより、増幅回路１１１が動作状態となる。このとき、抵抗Ｒ41と抵抗Ｒ42との接続点には、端子Ｔcを介してコンデンサＣ51が接続され、この外付けコンデンサＣ51により、生成される基準電圧のリプルが吸収される。
【００１１】
図７はオーディオアンプ回路１０１の動作説明図を示す。図７（Ａ）はコントローラ１０４から出力されるシャットダウン信号、図７（Ｂ）はスイッチ１３１のスイッチング状態、図７（Ｃ）は差動増幅回路１２１に供給される基準電圧、図７（Ｄ）はコントローラ１０４から出力されるミュート信号、図７（Ｅ）はスイッチ１２２のスイッチング状態を示す。
【００１２】
図７（Ａ）に示すように時刻ｔ10でシャットダウン信号がローレベルからハイレベルになると、図７（Ｂ）に示すようにスイッチ１３１がオンする。スイッチ１３１がオンすることにより、抵抗Ｒ41、Ｒ42により基準電圧が生成される。このとき、外付けコンデンサＣ51により基準電圧は図７（Ｃ）に示すように徐々に立ち上がり、時刻ｔ11で所定のレベルになる。時刻ｔ11で基準電圧が所定レベルに達すると、差動増幅回路１２１のシャットダウン状態が解除され、動作状態となる。
【００１３】
コントローラ１０４は、シャットダウン信号をハイレベルにしてからの時間をカウントしており、予め設定された所定時間経過した時刻ｔ12で図７（Ｄ）に示すようにミュート信号を出力する。ミュート信号により図７（Ｅ）に示すように増幅回路１１１のスイッチ１２２がオンし、入力信号のミュート状態が解除され、入力信号が増幅回路１１１で増幅され、スピーカ１０３に供給される。
【００１４】
このように、従来はコントローラ１０４からのシャットダウン信号に基づいて、基準電圧生成回路１１２での基準電圧の生成が制御され、増幅回路１１１の動作が制御され、シャットダウン機能が制御され、また、コントローラ１０４からのミュート信号に基づいて、増幅回路１１１のミュート機能が制御されている。
【００１５】
例えば、スタンバイ信号に応じて増幅回路の基準電圧の生成を制御するオーディオアンプ回路が提案されている（特許文献１参照）。
【００１６】
【特許文献１】ＵＳＰ５，６４２，０７４号（図２）
【発明の開示】
【発明が解決しようとする課題】
【００１７】
しかるに、従来のオーディオアンプ回路では、基準電圧はリプル吸収用のコンデンサＣ51によりシャットダウン信号に対して遅延して立ち上がっていた。
【００１８】
このため、立ち上がりまでの速度が遅く、音声の出力が遅延するなどの問題点があった。また、単にアンプを急峻に立ち上げると、ノイズなどが発生するなどの問題点があった。
【００１９】
本発明は上記の点に鑑みてなされたもので、所望の立ち上がり及び／又は立ち下がりで内部回路の動作を制御することができる信号処理回路を提供することを目的とする。
【課題を解決するための手段】
【００２０】
本発明は、制御信号に応じて動作が制御される内部回路（１１、１２）と、制御信号に応じて立ち上がり及び／又は立下りの異なる複数の参照電圧（Ｖr1、Ｖr2）を生成し、複数の参照電圧（Ｖr1、Ｖr2）を所望のタイミングで切り換えることにより、制御信号の立ち上がり及び／又は立ち下りを所望の立ち上がり及び／又は立下りに整形して、内部回路（１１、１２）の動作を制御する制御回路（１３）とを有することを特徴とする。
【００２１】
また、本発明の制御回路（１３）は、制御信号から第１の参照電圧を生成する第１の参照電圧生成回路（４１）と、第１の参照電圧生成回路（４１）で生成された第１の参照電圧（Ｖr1）から第２の参照電圧（Ｖr2）を生成する第２の参照電圧生成回路（４２）と、第１の参照電圧生成回路（４１）で生成された第１の参照電圧（Ｖr1）と第２の参照電圧生成回路（４２）で生成された第２の参照電圧（Ｖr2）との大小を比較する比較回路（４３）と、比較回路（４３）の比較結果に応じて第１の参照電圧（Ｖr1）又は第２の参照電圧（Ｖr2）を選択出力し、内部回路（１１、１２）に供給するスイッチ（４４）とを有することを特徴とする。
【００２２】
さらに、内部回路（１１、１２）は、入力信号を増幅して出力する増幅回路であり、入力信号をミュートするミュート機能を有し、比較回路（４３）の比較結果に応じてミュート機能をオン、オフすることを特徴とする。
【００２３】
また、第１の参照電圧（Ｖr1）は、第２の参照電圧（Ｖr2）に比べて立ち上がり及び／又は立ち下りが緩やかとなるように設定されたことを特徴とする。
【００２４】
なお、上記参照符号はあくまでも参考であり、これによって特許請求の範囲が限定されるものではない。
【発明の効果】
【００２５】
本発明によれば、制御信号に応じて立ち上がり及び／又は立下りの異なる複数の参照電圧（Ｖr1、Ｖr2）を生成し、複数の参照電圧（Ｖr1、Ｖr2）を所望のタイミングで切り換えることにより、制御信号の立ち上がり及び／又は立ち下りを所望の立ち上がり及び／又は立下りに整形して、内部回路（１１、１２）の動作を制御することにより、一つの制御信号で内部回路（１１、１２）の動作を制御できる。
【００２６】
また、本発明によれば、複数の参照電圧（Ｖr1、Ｖr2）の立ち上がり及び／又は立ち下がりの設定により所望の立ち上がり及び／又は立ち下がりで内部回路の動作を制御することができる。
【発明を実施するための最良の形態】
【００２７】
図１は本発明の一実施例のブロック構成図を示す。
【００２８】
本実施例のオーディオアンプ回路１は、１チップの半導体集積回路から構成され、増幅回路１１、１２、制御回路１３が搭載された構成とされ、外部端子として、入力端子Ｔin、出力端子Ｔout-、Ｔout+、端子Ｔsd、Ｔcを有する構成とされている。入力端子Ｔinには、信号源２からコンデンサＣ１を介して入力信号が供給される。端子Ｔsdには、コントローラ４からシャットダウン信号が供給される。また、反転出力端子Ｔout-と非反転出力端子Ｔout+との間には、スピーカ３が接続される。さらに、端子Ｔcには、コンデンサＣ２が接続される。
【００２９】
入力端子Ｔinに供給された信号は、増幅回路１１に供給される。増幅回路１１は、抵抗Ｒ１、Ｒ２、差動増幅回路２１、スイッチ回路２２から構成され、反転増幅回路を構成しており、入力端子Ｔinに供給された入力信号を反転増幅して出力する。
【００３０】
スイッチ回路２２は、ミュート機能を実現するための回路であり、入力抵抗Ｒ１と帰還抵抗Ｒ２との接続点と差動増幅回路２１に反転入力端子との間に接続されており、制御回路１３から供給されるミュート信号がローレベルのときにオンし、ハイレベルのときにオフする。スイッチ回路２２は、オンすると、入力抵抗Ｒ１と帰還抵抗Ｒ２との接続点と差動増幅回路２１の反転入力端子とを短絡し、入力信号が差動増幅回路２１の反転入力端子に供給されるようにする。これにより、増幅回路１１は、ミュートが解除され、入力信号が反転増幅される状態となる。
【００３１】
また、スイッチ回路２２はオフすると、入力抵抗Ｒ１と帰還抵抗Ｒ２との接続点と差動増幅回路２１の反転入力端子とを開放あるいは、破線で示すように、差動増幅回路２１の出力端子と非反転入力端子とを短絡した状態とする。これにより、増幅回路１１は入力信号をミュートした状態となる。
【００３２】
増幅回路１１の出力信号は反転出力端子Ｔout-から出力されるとともに、増幅回路１２に供給される。
【００３３】
増幅回路１２は抵抗Ｒ11、Ｒ12、差動増幅回路３１、スイッチ回路３２から構成され、差動増幅回路を構成しており、増幅回路１１から供給された信号を反転増幅して、非出力端子Ｔout+から出力する。
【００３４】
スイッチ回路３２は、ミュート機能を実現するための回路であり、入力抵抗Ｒ11と帰還抵抗Ｒ12との接続点と差動増幅回路３１に反転入力端子との間に接続されており、制御回路１３から供給されるミュート信号がローレベルのときにオンし、ハイレベルのときにオフする。スイッチ回路３２は、オンすると、入力抵抗Ｒ11と帰還抵抗Ｒ12との接続点と差動増幅回路３１の反転入力端子とを短絡し、入力信号が差動増幅回路３１の反転入力端子に供給されるようにする。これにより、増幅回路１２は、ミュートが解除され、入力信号が反転増幅される状態となる。
【００３５】
スイッチ回路３２は、オフすると、入力抵抗Ｒ１と帰還抵抗Ｒ２との接続点と差動増幅回路２１の反転入力端子とを開放あるいは、破線で示すように、差動増幅回路２１の出力端子と非反転入力端子とを短絡した状態とする。これにより、増幅回路１２は入力信号をミュートした状態となる。
【００３６】
増幅回路１２の出力信号は、反転出力端子Ｔout+から出力される。
【００３７】
端子Ｔsdには、コントローラ４からシャットダウン信号が供給されている。コントローラ４は、例えば、電源投入時にシャットダウン信号をローレベルからハイレベルに反転させる。端子Ｔsdにコントローラ４から供給されたシャットダウン信号は、制御回路１３に供給される。
【００３８】
制御回路１３は、第１の参照電圧生成回路４１、第２の参照電圧生成回路４２、コンパレータ４３、スイッチ４４から構成される。
【００３９】
図２は第１の参照電圧生成回路４１の回路構成図を示す。
【００４０】
第１の参照電圧生成回路４１は、スイッチ５１、抵抗Ｒ21〜Ｒ23から構成され、シャットダウン信号から第１の参照電圧Ｖr1を生成する。スイッチ５１は、定電圧Ｖddと抵抗Ｒ21、Ｒ22から構成される直列回路との間に接続されており、端子Ｔsdから供給されるシャットダウン信号に応じてスイッチングする。スイッチ５１は、端子Ｔsdから供給されるシャットダウン信号がハイレベルのときにはオンし、定電圧Ｖddを抵抗Ｒ21と抵抗Ｒ22から構成される直列回路に印加し、ローレベルのときにはオフし、定電圧Ｖddの抵抗Ｒ21と抵抗Ｒ22から構成される直列回路への印加を停止する。
【００４１】
抵抗Ｒ21、Ｒ22は、スイッチ５１がオンしたときに定電圧Ｖddを分圧する。抵抗Ｒ21、Ｒ22の分圧電圧は、抵抗Ｒ23を介して第２の参照電圧生成回路４２、コンパレータ４３、スイッチ４４に供給される。また、第２の参照電圧生成回路４２、コンパレータ４３、スイッチ４４と、抵抗Ｒ23との接続点には、端子Ｔcが接続されている。端子Ｔcには、リプル吸収用のコンデンサＣ２が接続される。抵抗Ｒ21〜Ｒ23及びコンデンサＣ２により第１の参照電圧Ｖr1の立ち上がり、及び／又は立ち下がり遅延時間が決定される。
【００４２】
図３第２の参照電圧生成回路４２の回路構成図を示す。
【００４３】
第２の参照電圧生成回路４２は、電流源６１、トランジスタＱ１〜Ｑ８、抵抗Ｒ31〜Ｒ33から構成され、第１の参照電圧生成回路４１で生成された第１の参照電圧Ｖr1から第２の参照電圧Ｖr2を生成する。抵抗Ｒ31、Ｒ32は、定電圧Ｖddを分圧して基準電圧を生成する。抵抗Ｒ31、Ｒ32で生成された定電圧Ｖddは、電流源６１及びトランジスタＱ１〜Ｑ４から構成される差動増幅回路部の非反転入力端子に印加される。
【００４４】
電流源６１及びトランジスタＱ１〜Ｑ４から構成される差動増幅回路部の反転入力端子には、第１の参照電圧生成回路４１で生成された第１の参照電圧Ｖr1が印加される。電流源６１及びトランジスタＱ１〜Ｑ４から構成される差動増幅回路部は、基準電圧と第１の参照電圧Ｖr1との差分に応じた出力をトランジスタＱ５〜Ｑ８及び抵抗Ｒ33から構成される出力増幅回路部に供給する。
【００４５】
トランジスタＱ５〜Ｑ８及び抵抗Ｒ33から構成される出力増幅回路部は、トランジスタＱ５〜Ｑ８により基準電圧と第１の参照電圧Ｖr1との差分を電流増幅し、抵抗Ｒ33により電圧に変換することにより、第２の参照電圧Ｖr2を生成、出力する。第２の参照電圧生成回路４２で生成される第２の参照電圧Ｖr2は、第１の参照電圧Ｖr1に比べて立ち上がりが急峻になっている。
【００４６】
第２の参照電圧生成回路４２で生成された第２の参照電圧Ｖr2は、コンパレータ４３及びスイッチ４４に供給されている。
【００４７】
コンパレータ４３は、第１の参照電圧生成回路４１で生成された第１の参照電圧Ｖr1及び第２の参照電圧生成回路４２で生成された第２の参照電圧Ｖr2が供給されている。コンパレータ４３は、第１の参照電圧Ｖr1と第２の参照電圧Ｖr2とを比較し、第１の参照電圧Ｖr1が第２の参照電圧Ｖr2より大きいときには、出力をローレベルとし、第２の参照電圧Ｖr2が第１の参照電圧Ｖr1より大きくなると、出力をハイレベルとする。コンパレータ４３の出力は、ミュート機能を実現しているスイッチ２２、３２及び基準電圧の立ち上がりを制御するスイッチ４４に切換制御信号として供給される。
【００４８】
スイッチ２２、３２は、コンパレータ４３の出力がローレベルのときにはオフし、入力信号をミュート状態とし、コンパレータ４３の出力がハイレベルのときにはオンし、入力信号のミュート状態が解除される。スイッチ４４は、コンパレータ４３の出力がローレベルのときには第２の参照電圧Ｖr2を選択出力し、コンパレータ４３の出力がハイレベルのときには第１の参照電圧Ｖr1を選択出力する。
【００４９】
スイッチ４４で選択された電圧は、増幅回路１１、１２の差動増幅回路２１、３１の非反転入力端子に基準電圧として供給される。
【００５０】
次に本実施例の動作を説明する。
【００５１】
図４、図５は本発明の一実施例の動作説明図を示す。図４はシャットダウン信号の立ち上がり時、図５はシャットダウン信号の立ち下がり時の動作説明図を示す。図４（Ａ）、図５（Ａ）はコントローラ４から端子Ｔsdに供給されるシャットダウン信号、図４（Ｂ）、図５（Ｂ）は第１及び第２の参照電圧Ｖr1、Ｖr2の波形、図４（Ｃ）、図５（Ｃ）はスイッチ４４のスイッチング状態、図４（Ｄ）、図５（Ｄ）は差動増幅回路２１、３１の非反転入力端子に印加される基準電圧波形、図４（Ｅ）、図５（Ｅ）はスイッチ２２、３２のスイッチング状態を示す。
【００５２】
図４（Ａ）に示すように時刻ｔ0でシャットダウン信号がローレベルからハイレベルになると、第１の参照電圧Ｖr1が図４（Ｂ）に実線で示すようにコンデンサＣ２により徐々に立ち上がる。このとき、第２の参照電圧Ｖr2はまだ立ち上がっていないので、コンパレータ４３の出力はローレベルとなる。コンパレータ４３の出力はローレベルのときは、図４（Ｅ）に示すようにスイッチ２２、３２はオフし、入力信号はミュート状態とされる。
【００５３】
また、このとき、スイッチ４４はコンパレータ４３の出力はローレベルであるので、図４（Ｃ）に示すように第２の参照電圧Ｖr2を選択出力する。このため、増幅回路１１、１２の差動増幅回路２１、３１に印加される基準電圧は図４（Ｄ）に示すように第２の参照電圧Ｖr2の波形で急峻に立ち上がる。
【００５４】
次に、時刻ｔ2で図４（Ｂ）に示すように第１の参照電圧Ｖr1が第２の参照電圧Ｖr2より大きくなると、コンパレータ４３の出力がハイレベルになる。コンパレータ４３の出力がハイレベルになると、図４（Ｅ）に示すようにスイッチ２２、３２はオンし、ミュートが解除される。また、スイッチ４４は第１の参照電圧Ｖr1を選択出力する。このため、増幅回路１１、１２の差動増幅回路２１、３１に印加される基準電圧は図４（Ｄ）に示すように第１の参照電圧Ｖr1の波形で緩やかに立ち上がる。
【００５５】
本実施例によれば、入力信号がミュートされた状態で、急峻な立ち上がりの第２の参照電圧Ｖr2で基準電圧が立ち上がり、後に、緩やか立ち上がりの第１の参照電圧Ｖr1で基準電圧が立ち上がるとともに、入力信号のミュートが解除されることにより、高速に、かつ、ノイズなどが出力されることなく、増幅回路１１、１２を起動することが可能となる。
【００５６】
また、図５（Ａ）に示すように時刻ｔ3でシャットダウン信号がハイレベルからローレベルになると、第１の参照電圧Ｖr1及び第２の参照電圧Ｖr2が共に下がりはじめる。このとき、第２の参照電圧Ｖr2は、第１の参照電圧Ｖr1を増幅した電圧であるので、第１の参照電圧Ｖr1に比べて急峻に立ち下がる。
【００５７】
次に、時刻ｔ4で第２の参照電圧Ｖr2が第１の参照電圧Ｖr1より小さくなると、コンパレータ４３の出力がローレベルになる。コンパレータ４３の出力がローレベルになると、図５（Ｅ）に示すようにスイッチ２２、３２がオフし、ミュート状態となるとともに、図５（Ｃ）に示すようにスイッチ４４の選択出力が第１の参照電圧Ｖre1から第２の参照電圧Ｖr2に切り換わる。これによって、増幅回路１１、１２の差動増幅回路２１、３１に印加される基準電圧は図５（Ｄ）に示すように第２の参照電圧Ｖr2の波形で急峻に立ち下がる。
【００５８】
本実施例によれば、基準電圧がシャットダウン信号に応じて、まず、第１の参照電圧Ｖr1により緩やかに立ち下がった後、入力信号がミュートされ、第２の参照電圧Ｖr2で急峻に立ち下がるので、シャットダウン信号に応じて速やかに動作を停止させることが可能となる。
【００５９】
なお、本実施例では説明を簡単にするために、第１及び第２の参照電圧を切り換えることにより立ち上がり及び／又は立ち下りを所望の特性とする構成について説明したが、３以上の参照電圧を生成し、切り換えることにより立ち上がり及び／又は立下りを所望の特性とするようにすることもできる。
【００６０】
また、本実施例では、第１の参照電圧生成回路４１、及び、第２の参照電圧生成回路４２をＭＯＳ電界効果トランジスタにより構成した例について説明したが、バイポーラトランジスタで構成することも可能であることは言うまでもない。
【図面の簡単な説明】
【００６１】
【図１】本発明の一実施例のブロック構成図である。
【図２】第１の参照電圧生成回路４１の回路構成図である。
【図３】第２の参照電圧生成回路４２の回路構成図である。
【図４】本発明の一実施例の動作説明図である。
【図５】本発明の一実施例の動作説明図である。
【図６】オーディオアンプ回路のブロック構成図である。
【図７】オーディオアンプ回路の動作説明図である。
【符号の説明】
【００６２】
１  信号出力回路、２  信号源、３  スピーカ、４  コントローラ
１１、１２  増幅回路、１３  制御回路
２１、３１  差動増幅回路、２２、３２  スイッチ
４１  第１の参照電圧生成回路、４２  第２の参照電圧生成回路
４３  コンパレータ、４４  スイッチ
５１  スイッチ
６１  電流源
【図１】
2005051608.tif 000003
【図２】
2005051608.tif 000004
【図３】
2005051608.tif 000005
【図４】
2005051608.tif 000006
【図５】
2005051608.tif 000007
【図６】
2005051608.tif 000008
【図７】
2005051608.tif 000009